(57)【要約】      （修正有）【課題】端子の接触点の接触不良を防止できる積上げ式多層コネクタを提供する。【解決手段】積上げ式多層コネクタは、二つの台座１０と、二つの連結台２０と、を含む。二つの台座１０は、互いに対向するように回路板Ｐに設けられ、それぞれ一つの本体部１１を含み、各本体部１１の上面に連結穴１１１が設けられる。各本体部１１に端子ポート１１２が複数設けられ、各第１端子１２の底部が回路板Ｐに溶接される。二つの連結台２０には、互いに対応する挿入ポート２１３がそれぞれ複数設けられ、挿入ポート２１３の間に複数の電子カード装置を積上げて挿入し、各連結台２０と各電子カード装置とは電気的に接続する。各連結台２０はそれぞれ一つの絶縁本体２１を含み、各絶縁本体２１の底部にガイドホゾ２１１が設けられる。これにより、接点の数量を大幅に減少することができるため、接点の接触不良を低減することができる。【選択図】図１
0003163555.tif 000002
【実用新案登録請求の範囲】
【請求項１】
互いに対向するように回路板に設けられ、それぞれ一つの本体部を含み、前記本体部の上面に連結穴が設けられ、前記本体部に端子ポートが複数設けられ、前記端子ポートにそれぞれ一つの第１端子を嵌合し、前記第１端子にコンタクト部が設けられ、前記コンタクト部はそれに対応する前記本体部の前記連結穴に挿入され、前記第１端子の底部が前記回路板に溶接される二つの台座と、
互いに対応する挿入ポートがそれぞれ複数設けられ、前記挿入ポートの間に複数の電子カード装置を積上げて挿入し、前記電子カード装置と電気的に接続し、それぞれ一つの絶縁本体を含み、前記絶縁本体の底部にガイドホゾが設けられる二つの連結台と、
を有する積上げ式多層コネクタであって、
前記台座の前記連結穴に前記ガイドホゾを挿入し、前記絶縁本体に端子嵌めポートが複数設けられ、前記端子嵌めポートに一つの第２端子をそれぞれ嵌合し、前記第２端子にコンタクトアームが設けられ、前記コンタクトアームが前記ガイドホゾの一側に沿って延び、
前記台座の前記連結穴に前記ガイドホゾを挿入するときには、前記コンタクトアームが前記台座の前記第１端子の前記コンタクト部の一側とコンタクトし、
前記第２端子には、積上げるように配列される複数の電子カードコンタクト部が設けられ、前記電子カードコンタクト部は、対応する挿入ポートに延び、対応する電子カード装置とコンタクトすることを特徴とする積上げ式多層コネクタ。
【請求項２】
前記台座の前記本体部は、底部に複数の端子ポートが並列され、前記端子ポートは、前記連結穴に貫通するポート通路と、少なくとも一つの嵌めポートと、を含み、
前記第１端子は、鉛直方向に延び、前記コンタクト部と、連結片と、を含み、
前記コンタクト部は、前記ポート通路を経由して前記連結穴に延び、前記連結片は前記嵌めポートと緊密に嵌合することを特徴とする請求項１に記載の積上げ式多層コネクタ。
【請求項３】
前記連結片のサイドに係り歯が設けられることを特徴とする請求項２に記載の積上げ式多層コネクタ。
【請求項４】
前記連結台の前記絶縁本体の裏側には、挿入ポートが複数層設けられ、前記挿入ポートに一つの電子カード装置を収容し、前記絶縁本体の外側に複数の端子嵌めポートが並列され、
前記端子嵌めポートは、複数層の電子カードコンタクト部嵌めポートと、コンタクトポートと、を含み、
複数層の前記電子カードコンタクト部嵌めポートには、一つの前記第２端子の一つの前記電子カードコンタクト部が嵌め設けられ、前記電子カードコンタクト部嵌めポートは、それに対応する層の前記絶縁本体の前記挿入ポートと連通し、前記第２端子の層の前記電子カードコンタクト部は、それに対応する層の前記挿入ポートに延び、
前記コンタクトポートは、前記絶縁本体の外側から前記ガイドホゾの一側まで設けられ、前記第２端子の前記コンタクトアームが前記絶縁本体の前記ガイドホゾの一側に延びることを特徴とする請求項１に記載の積上げ式多層コネクタ。
【請求項５】
前記第２端子は、基板を有し、前記電子カードコンタクト部と前記コンタクトアームとは、それぞれ前記基板から同じ側に延びることを特徴とする請求項１に記載の積上げ式多層コネクタ。
【請求項６】
固定蓋を含み、前記固定蓋はプレート部を含み、前記プレート部の両側には、鉛直方向に延びる側壁がそれぞれ設けられ、前記側壁に側壁係り部が設けられ、前記台座には、前記側壁の前記側壁係り部と係合する台座係り部が設けられ、前記固定蓋により前記二つの連結台の間に配される前記電子カード装置が覆われることを特徴とする請求項１に記載の積上げ式多層コネクタ。
【考案の詳細な説明】
【技術分野】
【０００１】
本考案は、積上げ式多層コネクタに関する。
【背景技術】
【０００２】
従来、多層の電子カード装置と連結する積上げ式コネクタは、一対の台座と、複数対の連結台と、を含み、一対の台座は回路板に溶接され、各対の連結台は、一つの電子カード装置を挟んで、一対の台座、又はその下に位置する連結台に挿入する。
【０００３】
上記の積上げ式コネクタは、図１０に示すように、台座５０に複数の第１端子５１が嵌め設けられ、各第１端子５１は、第１コンタクト部５１１を含み、台座５０の上端の挿入穴５２に挿入する。連結台６０に複数の第２端子６１が嵌め設けられ、第２端子６１の前端に電子カードのコンタクト部６１ａが形成され、電子カードのコンタクト部６１ａの後方へ延びる後端には、上へ突出する第２コンタクト部６１ｂと、下へ突出する第３コンタクト部６１ｃと、が設けられる。第３コンタクト部６１ｃが連結台６０と共に台座５０の挿入穴５２に挿入されるときには、挿入穴５２の第１端子５１の第１コンタクト部５１１が第３コンタクト部６１ｃとコンタクトする。なお、第２コンタクト部６１ｂが連結台６０と共にその上に位置する連結台６０の挿入穴６２１に挿入されるときには、第２コンタクト部６１ｂがそれに対応する第３コンタクト部６１ｃとコンタクトする。
【考案の概要】
【考案が解決しようとする課題】
【０００４】
しかしながら、上記従来技術は次のような欠点があった。
連結台６０が一つだけの電子カード装置を挟むことができ、二層以上の電子カード装置を取付けたい場合には、それに対応する数量の連結台５０を積上げることが必要である。これにより、連結台６０と台座５０、又は連結台６０同士の接触点が多くなり、接触点は接触不良になり易い。
【０００５】
更に、各連結台６０の第２端子６１の第２、第３コンタクト部６１ｂ、６１ｃが電子カードのコンタクト部６１ａの後方へ延びるため、連結台６０の第２端子６１を覆うための絶縁本体６２を延長することが必要になり、そうすると、連結台６０の体積が大きくなり、生産コストが増加する。
【０００６】
上記問題を解決するため、本考案の目的は、端子の接触点の接触不良を防止でき、連結台の取付スペースを大幅に減少することができ、生産コストを大幅に減少することができる積上げ式多層コネクタを提供することである。
【課題を解決するための手段】
【０００７】
上述の目的を達成するため、本考案による積上げ式多層コネクタは、二つの台座と、二つの連結台と、を含む。二つの台座は、互いに対向するように回路板に設けられ、それぞれ一つの本体部を含む。各本体部の上面に連結穴が設けられ、且つ各本体部に端子ポートが複数設けられ、これらの端子ポートにそれぞれ一つの第１端子を嵌合する。各第１端子にコンタクト部が設けられ、各コンタクト部はそれに対応する本体部の連結穴に挿入され、各第１端子の底部が回路板に溶接される。
【０００８】
二つの連結台には、互いに対応する挿入ポートがそれぞれ複数設けられ、挿入ポートの間に複数の電子カード装置を積上げて挿入する。二つの連結台と各電子カード装置とは電気的に接続し、各連結台はそれぞれ一つの絶縁本体を含み、各絶縁本体の底部にガイドホゾが設けられ、台座の連結穴にガイドホゾを挿入する。各絶縁本体に端子嵌めポートが複数設けられ、端子嵌めポートに一つの第２端子をそれぞれ嵌合する。各第２端子にコンタクトアームが設けられ、コンタクトアームがガイドホゾの一側に沿って延び、台座の連結穴にガイドホゾを挿入するときには、コンタクトアームが台座の第１端子のコンタクト部の一側とコンタクトする。各第２端子には、積上げるように配列される複数の電子カードのコンタクト部が設けられ、電子カードのコンタクト部は、それに対応する挿入ポートに延び、それに対応する電子カード装置とコンタクトする。
【０００９】
各台座の本体部の底部には、複数の端子ポートが並列され、各端子ポートは、連結穴に貫通するポート通路と、少なくとも一つの嵌めポートと、を含む。各第１端子は、鉛直方向に延び、コンタクト部と、連結片と、を含む。コンタクト部は、ポート通路を経由して連結穴に延び、連結片は、嵌めポートと緊密に嵌合する。
【００１０】
連結片のサイドに係り歯が設けられる。
【００１１】
各連結台の絶縁本体の裏側には、挿入ポートが複数層設けられ、各挿入ポートに一つの電子カード装置を収容し、絶縁本体の外側に複数の端子嵌めポートが並列される。各端子嵌めポートは、複数層の電子カードコンタクト部嵌めポートと、コンタクトポートと、を含む。複数層の電子カードコンタクト部嵌めポートには、一つの第２端子の一つの電子カードコンタクト部が嵌め設けられ、各電子カードコンタクト部嵌めポートは、それに対応する層の絶縁本体の挿入ポートと連通し、第２端子の各層の電子カードコンタクト部は、それに対応する層の挿入ポートに延び、コンタクトポートは、絶縁本体の外側からガイドホゾの一側まで設けられ、第２端子のコンタクトアームが絶縁本体のガイドホゾの一側に延びる。
【００１２】
第２端子は、基板を有し、各電子カードコンタクト部とコンタクトアームとは、それぞれ基板から同じ側に延びる。
【００１３】
本考案による積上げ式多層コネクタは、固定蓋を含む。固定蓋はプレート部を含み、プレート部の両側には、鉛直方向に延びる側壁がそれぞれ設けられ、側壁に側壁係り部が設けられる。各台座には、側壁の側壁係り部と係合する台座係り部が設けられ、固定蓋により二つの連結台の間に配置される各電子カード装置が覆われる。
（考案の効果）
【００１４】
本考案による積上げ式多層コネクタは、次のような効果がある。
積上げ式多層コネクタの接点の数量を大幅に減少することができるため、接点の接触不良を低減することができる。
【００１５】
連結台の取付スペースを大幅に減少することができ、生産コストを大幅に減少することができる。
【図面の簡単な説明】
【００１６】
【図１】本考案の一実施形態による積上げ式多層コネクタの斜視図である。
【図２】本考案の一実施形態による積上げ式多層コネクタの二つの連結台により複数の電子カード装置を挟む直前の状態を示す斜視図である。
【図３】図２の電子カード装置を挟んだ後、二つの台座に挿入する直前の状態を示す斜視図である。
【図４】図３の挿入した状態の斜視図である。
【図５】図３の５−５線の断面図である。
【図６】図４の６−６線の断面図である。
【図７】本考案の一実施形態による積上げ式多層コネクタの変形例の図６に対応する断面図である。
【図８】本考案の一実施形態による積上げ式多層コネクタに固定蓋を組付ける前の状態を示す斜視図である。
【図９】本考案の一実施形態による積上げ式多層コネクタに固定蓋を組付けた状態を示す斜視図である。
【図１０】本考案の一実施形態による積上げ式多層コネクタと従来の積上げ式コネクタの比較断面図である。
【考案を実施するための形態】
【００１７】
（一実施形態）
以下、本考案の一実施形態による積上げ式多層コネクタを図面に基づいて説明する。
まず、図１〜図６を参照する。積上げ式多層コネクタは、台座１０、１０と、連結台２０、２０と、を含む。台座１０、１０は、互いに対向するように回路板Ｐに設けられ、それぞれ一つの本体部１１を含み、各本体部１１の上面に連結穴１１１が設けられる。図５に示すように、各本体部１１に端子ポート１１２が複数設けられ、これらの端子ポート１１２にそれぞれ一つの第１端子１２を嵌合する。各第１端子１２にコンタクト部１２１が設けられ、各コンタクト部１２１は、それに対応する本体部１１の連結穴１１１に挿入され、各第１端子１２の底部が回路板Ｐに溶接される。
【００１８】
連結台２０、２０には、互いに対応する挿入ポート２１３がそれぞれ複数設けられ（「複数」というのは、２個以上）、挿入ポート２１３の間に複数の電子カード装置３０を積上げて挿入し、各連結台２０と各電子カード装置３０とは電気的に接続する。各連結台２０はそれぞれ一つの絶縁本体２１を含み、各絶縁本体２１の底部にガイドホゾ２１１が設けられ、台座１０の連結穴１１１にガイドホゾ２１１を挿入する。各絶縁本体２１に端子嵌めポート２１２が複数設けられ、端子嵌めポート２１２に一つの第２端子２２をそれぞれ嵌合する。各第２端子２２にコンタクトアーム２２１が設けられ、コンタクトアーム２２１がガイドホゾ２１１の縦方向の一側に沿って延びる。
【００１９】
台座１０の連結穴１１１にガイドホゾ２１１を挿入するときには、コンタクトアーム２２１が台座１０の第１端子１２のコンタクト部１２１の一側とコンタクトし、各第２端子２２には、積上げるように配列される複数の電子カードコンタクト部２２２が設けられ、電子カードコンタクト部２２２は、それに対応する挿入ポート２１３に延び、それに対応する電子カード装置３０とコンタクトする。
【００２０】
図５に示すように、第２端子２２の各電子カードコンタクト部２２２は、第１挟みアーム２２２ａと、第２挟みアーム２２２ｂと、を含む。第１挟みアーム２２２ａと第２挟みアーム２２２ｂとの挟みにより、電子カード装置３０を固定する。
【００２１】
図１、図５及び図６を参照する。各台座１０の本体部１１は、底部に複数の端子ポート１１２が並列され、各端子ポート１１２は、連結穴１１１に貫通するポート通路１１２ａと、少なくとも一つの嵌めポート１１２ｂと、をそれぞれ含む。各第１端子１２は、鉛直方向に延び、コンタクト部１２１と、連結片１２２と、を含む。コンタクト部１２１はポート通路１１２ａを経由して連結穴１１１に延びる。連結片１２２は嵌めポート１１２ｂと緊密に嵌合する。連結片１２２のサイドに係り歯１２２ａが設けられ、これにより、第１端子１２の離脱を防止することができる。
【００２２】
各連結台２０の絶縁本体２１の裏側２０ａには、挿入ポート２１３が複数層設けられ、各挿入ポート２１３に一つの電子カード装置３０を収容することができ、絶縁本体２１の外側２０ｂに複数の端子嵌めポート２１２が並列され、各端子嵌めポート２１２は、複数層の電子カードコンタクト部嵌めポート２１２ａと、コンタクトポート２１２ｂと、を含む。複数層の電子カードコンタクト部嵌めポート２１２ａには、一つの第２端子２２の一つの電子カードコンタクト部２２２が嵌め設けられ、各電子カードコンタクト部嵌めポート２１２ａは、それに対応する層の絶縁本体２１の挿入ポート２１３と連通し、第２端子２２の各層の電子カードコンタクト部２２２は、それに対応する層の挿入ポート２１３に延びる。コンタクトポート２１２ｂは、絶縁本体２１の外側２０ｂからガイドホゾ２１１の一側まで設けられ、第２端子２２のコンタクトアーム２２１が絶縁本体２１のガイドホゾ２１１の縦方向一側に沿って延びる。
【００２３】
図８及び図９を参照する。積上げ式多層コネクタは、更に、固定蓋４０を含み、固定蓋４０はプレート部４１を含み、プレート部４１の両側には、鉛直方向に延びる側壁４２がそれぞれ設けられ、側壁４２に側壁係り部４２１が設けられ、各台座１０には、側壁４２の側壁係り部４２１と係合する台座係り部１３が設けられる。固定蓋４０により連結台２０、２０の間に配される各電子カード装置３０が覆われる。
【００２４】
図１０を参照する。本考案による積上げ式多層コネクタは、各第２端子２２は、更に、基板２２３を有し、各電子カードコンタクト部２２２とコンタクトアーム２２１とは、それぞれ基板２２３から同じ側に延びる。
【００２５】
上記構造により、二つの連結台２０により複数の電子カード装置３０を挟んで、連結台２０を台座１０に挿入し、従来の多層コネクタのように複数層を順次に挿入して積上げることが必要なくなり、各層の接触点の接触不良を防止することができる。
各第２端子２０のコンタクトアーム２２１がそれに対応する電子カードコンタクト部２２２の底部に投影し、このような構成により、各連結台２０の絶縁本体２１の幅を減少することができ、その取付スペースを減少することができ、生産コストを減少することもできる。
【００２６】
従来、連結台６０の絶縁本体６２は、第２端子６１の電子カードコンタクト部６１ａから後方へ延びる第２、第３コンタクト部６１ｂ、６１ｃを覆うことが必要である。本考案による積上げ式多層コネクタの連結台２０の絶縁本体２１は、図１０に示した長さＬを減少することができ、連結台２０の取付スペースを大幅に減少することができ、生産コストを大幅に減少することができる。
【００２７】
上記実施形態では、図５に示したように、第２端子２２は、２層の電子カードコンタクト部２２２を含むことにしたが、本考案では、図７に示したように、４層の電子カードコンタクト部２２２を含むことにしてもよい、かつ電子カードコンタクト部２２２の数量はこれらに限定されない。
【００２８】
上記のように、本考案を特定の実施形態を参照して説明したが、その実施形態は、説明のためだけのものであり、本考案を限定するものではなく、この分野に通常の知識を有する者には、本考案の要旨および実用新案登録請求の範囲を逸脱することなく、ここで開示された実施形態に変更、追加、または、削除などを施してもよい。
【符号の説明】
【００２９】
１０    ・・・台座、
１１    ・・・本体部、
１１１  ・・・連結穴、
１１２  ・・・端子ポート、
１１２ａ・・・ポート通路、
１１２ｂ・・・嵌めポート、
１２    ・・・第１端子、
１２１  ・・・コンタクト部、
１２２  ・・・連結片、
１２２ａ・・・係り歯、
１３    ・・・台座係り部、
２０    ・・・連結台、
２０ａ  ・・・裏側、
２０ｂ  ・・・外側、
２１    ・・・絶縁本体、
２１１  ・・・ガイドホゾ、
２１２  ・・・端子嵌めポート、
２１２ａ・・・電子カードコンタクト部嵌めポート、
２１２ｂ・・・コンタクトポート、
２１３  ・・・挿入ポート、
２２    ・・・第２端子、
２２１  ・・・コンタクトアーム、
２２２  ・・・電子カードコンタクト部、
２２２ａ・・・第１挟みアーム、
２２２ｂ・・・第２挟みアーム、
２２３  ・・・基板、
３０    ・・・電子カード装置、
４０    ・・・固定蓋、
４１    ・・・プレート部、
４２    ・・・側壁、
４２１  ・・・側壁係り部、
５０    ・・・台座、
５１    ・・・第１端子、
５１１  ・・・第１コンタクト部、
５２    ・・・挿入穴、
６０    ・・・連結台、
６１    ・・・第２端子、
６１ａ  ・・・電子カードコンタクト部、
６１ｂ  ・・・第２コンタクト部、
６１ｃ  ・・・第３コンタクト部、
６２    ・・・絶縁本体、
６２１  ・・・挿入穴、
Ｌ      ・・・長さ、
Ｐ      ・・・回路板。
【図１】
0003163555.tif 000003
【図２】
0003163555.tif 000004
【図３】
0003163555.tif 000005
【図４】
0003163555.tif 000006
【図５】
0003163555.tif 000007
【図６】
0003163555.tif 000008
【図７】
0003163555.tif 000009
【図８】
0003163555.tif 000010
【図９】
0003163555.tif 000011
【図１０】
0003163555.tif 000012